(57)【特許請求の範囲】
【請求項１】
記録媒体が収容されるとともに、記録媒体上に画像を形成する画像形成部を具備した画像形成装置本体から引き出し可能な収容容器であって、
収容容器本体の引き出し方向の前面に、手を差し込んで前記画像形成装置本体から当該収容容器を引き出すための把手部を備え、
前記把手部は、選択的に装着可能な取っ手を具備し、
前記取っ手は、
前記収容容器本体の引き出し方向の前面から突出するとともに、貫通穴を介して把持可能に形成された把持部を具備した取っ手主部と、
前記把手部に係合して前記収容容器本体に装着される装着部と、
を具備したことを特徴とする収容容器。
【請求項２】
前記取っ手の前記装着部は、前記把手部に手を差し込む方向から当該把手部に挿入されて係合されることを特徴とする請求項１に記載の収容容器。
【請求項３】
前記取っ手主部は、前記収容容器本体の引き出し方向の前面に立設するとともに前記貫通穴が形成された板部と、前記板部の縁部を縁取るように肉厚に形成されるとともに前記把持部が形成された肉厚部と、を備えたことを特徴とする請求項１又は請求項２に記載の収容容器。
【請求項４】
前記肉厚部は、前記把持部が形成された中央部から前記収容容器本体の引き出し方向の前面に接する両端部にかけて湾曲状に形成されたことを特徴とする請求項３に記載の収容容器。
【請求項５】
前記肉厚部は、前記把持部の肉厚が当該把持部以外の肉厚よりも薄くなるように形成されたことを特徴とする請求項３又は請求項４に記載の収容容器。
【請求項６】
前記取っ手の前記装着部は、前記把手部に係合されるときに前記収容容器本体に係止して位置決めするための係止爪を備えたことを特徴とする請求項１〜請求項５のいずれかに記載の収容容器。
【請求項７】
前記収容容器本体を覆うカバーを備え、
前記係止爪は、前記収容容器本体と前記カバーとによって形成される段差部に係止されることを特徴とする請求項６に記載の収容容器。
【請求項８】
請求項１〜請求項７のいずれかに記載の収容容器が前記画像形成装置本体に設置されたことを特徴とする画像形成装置。
【発明の詳細な説明】
【技術分野】
【０００１】
この発明は、記録媒体が収容されて画像形成装置本体から引き出し可能に構成された収容容器と、それを備えた画像形成装置と、に関するものである。
【背景技術】
【０００２】
従来から、複写機、プリンタ、ファクシミリ、又は、それらの複合機等の画像形成装置において、給紙トレイ、給紙カセット等の収容容器を画像形成装置本体から引き出す（又は押し込む）ために、収容容器に把手部（取手部）を設ける技術が広く知られている（例えば、特許文献１参照。）。
【０００３】
一方、特許文献１等には、画像形成装置の給紙カセットにおける設計変更の自由度を高めることを目的として、取手部をケース部とは別体で成形する技術が開示されている。詳しくは、記録媒体を分離搬送する分離機構が設けられたケース部に対して、取っ手が形成された部材（取手部）をネジ締結して、給紙カセットを構成している。
【０００４】
【特許文献１】特開２００４−９１１２６号公報
【発明の開示】
【発明が解決しようとする課題】
【０００５】
上述した従来の技術は、収容容器の取っ手の形状が収容容器ごとに定められていて、選択の余地がなかった。すなわち、ユーザーにとって収容容器の取っ手が使いにくいものであっても、その取っ手を我慢して使用しなければならなかった。
【０００６】
例えば、健康体のユーザーを想定して設計された取っ手や、デザイン性を重視して設計された取っ手は、手が不自由なユーザーにとって操作性が悪いものであることが少なくなかった。
また、国内のユーザーを想定して設計された取っ手は、体格の異なる外国のユーザーにとって操作性が悪いものであることも少なくなかった。
【０００７】
一方、特許文献１等の技術は、記録媒体を分離搬送する分離機構が設けられたケース部に対して別体で形成された取手部を取り付けることで、分離機構の設計変更を低コストでおこなうことを目的としたものである。したがって、特許文献１等の技術も、収容容器の取っ手の形状が収容容器ごとに定められているために、上述の問題を解決することができなかった。
また、上述の問題は、画像形成装置において記録媒体を収容する収容容器に限定されることなく、収容物を収容する収容容器のすべてについて共通するものである。
【０００８】
この発明は、上述のような課題を解決するためになされたもので、種々のユーザーにとって、記録媒体が収容された収容容器を画像形成装置本体から簡易に引き出すことができる、操作性の高い、収容容器、及び、画像形成装置を提供することにある。
【課題を解決するための手段】
【０００９】
この発明の請求項１記載の発明にかかる収容容器は、記録媒体が収容されるとともに、記録媒体上に画像を形成する画像形成部を具備した画像形成装置本体から引き出し可能な収容容器であって、収容容器本体の引き出し方向の前面に、手を差し込んで前記画像形成装置本体から当該収容容器を引き出すための把手部を備え、前記把手部は、選択的に装着可能な取っ手を具備し、前記取っ手は、前記収容容器本体の引き出し方向の前面から突出するとともに、貫通穴を介して把持可能に形成された把持部を具備した取っ手主部と、前記把手部に係合して前記収容容器本体に装着される装着部と、を具備したものである。
【００１０】
また、請求項２記載の発明にかかる収容容器は、前記請求項１に記載の発明において、前記取っ手の前記装着部は、前記把手部に手を差し込む方向から当該把手部に挿入されて係合されるものである。
【００１１】
また、請求項３記載の発明にかかる収容容器は、前記請求項１又は請求項２に記載の発明において、前記取っ手主部は、前記収容容器本体の引き出し方向の前面に立設するとともに前記貫通穴が形成された板部と、前記板部の縁部を縁取るように肉厚に形成されるとともに前記把持部が形成された肉厚部と、を備えたものである。
【００１２】
また、請求項４記載の発明にかかる収容容器は、前記請求項３に記載の発明において、前記肉厚部は、前記把持部が形成された中央部から前記収容容器本体の引き出し方向の前面に接する両端部にかけて湾曲状に形成されたものである。
【００１３】
また、請求項５記載の発明にかかる収容容器は、前記請求項３又は請求項４に記載の発明において、前記肉厚部は、前記把持部の肉厚が当該把持部以外の肉厚よりも薄くなるように形成されたものである。
【００１４】
また、請求項６記載の発明にかかる収容容器は、前記請求項１〜請求項５のいずれかに記載の発明において、前記取っ手の前記装着部は、前記把手部に係合されるときに前記収容容器本体に係止して位置決めするための係止爪を備えたものである。
【００１５】
また、請求項７記載の発明にかかる収容容器は、前記請求項６に記載の発明において、前記収容容器本体を覆うカバーを備え、前記係止爪は、前記収容容器本体と前記カバーとによって形成される段差部に係止されるものである。
【００１６】
また、請求項８記載の発明にかかる画像形成装置は、請求項１〜請求項７のいずれかに記載の収容容器が前記画像形成装置本体に設置されたものである。
【発明の効果】
【００２７】
本発明は、取っ手に、貫通穴を介して把持可能に形成された把持部が設けられるとともに、収容容器の把手部に装着するための装着部が設けられているために、ユーザーにとって使い勝手のよい取っ手を選択的に収容容器に設置することができる。したがって、種々のユーザーにとって、記録媒体が収容された収容容器を画像形成装置本体から簡易に引き出すことができる、操作性の高い、収容容器、及び、画像形成装置を提供することができる。
【発明を実施するための最良の形態】
【００２８】
以下、この発明を実施するための最良の形態について、図面を参照して詳細に説明する。なお、各図中、同一又は相当する部分には同一の符号を付しており、その重複説明は適宜に簡略化ないし省略する。
【００２９】
実施の形態１．
図１〜図６にて、この発明の実施の形態１について詳細に説明する。
図１にて、画像形成装置全体の構成・動作について説明する。
図１において、１は画像形成装置としてのデジタル複写機の装置本体、３は原稿読込部２２で読み込んだ画像情報に基いた露光光Ｌを感光体ドラム１８上に照射する露光部、４は装置本体１に着脱自在に設置される作像部としてのプロセスカートリッジ、７は感光体ドラム１８上に形成されたトナー像を記録媒体Ｐに転写する転写部、１０は出力画像が載置される排紙トレイ、１３は記録媒体Ｐを転写部７に搬送するレジストローラ、１９は記録媒体Ｐ上の未定着画像を定着する定着装置、２１はセットされた原稿Ｄを原稿読込部２２に搬送する原稿搬送部、２２は原稿Ｄの画像情報を光学的に読み込む原稿読込部、３０は転写紙等の記録媒体Ｐ（収容物）が収容された給紙トレイ（収容容器）、を示す。
【００３０】
図１を参照して、画像形成装置における、通常の画像形成時の動作について説明する。
まず、原稿Ｄは、原稿搬送部２１の搬送ローラによって、原稿台から図中の矢印方向に搬送されて、原稿読込部２２上を通過する。このとき、原稿読込部２２では、上方を通過する原稿Ｄの画像情報が光学的に読み取られる。
そして、原稿読込部２２で読み取られた光学的な画像情報は、電気信号に変換された後に、露光部３（書込部）に送信される。そして、露光部３からは、その電気信号の画像情報に基づいたレーザ光等の露光光Ｌが、感光体ドラム１８上に向けて発せられる。
【００３１】
一方、感光体ドラム１８は図中の反時計方向に回転しており、所定の電子写真プロセス（帯電工程、露光工程、現像工程）を経て、感光体ドラム１８上に画像情報に対応したトナー像が形成される。その後、感光体ドラム１８上に形成されたトナー像は、転写部７で、レジストローラ１３により搬送された記録媒体Ｐ上に転写される。
なお、図示は省略するが、プロセスカートリッジ４には、感光体ドラム１８、感光体ドラム１８上を帯電する帯電部、トナー（現像剤）が収容されていて感光体ドラム１８上に形成された静電潜像を現像する現像部、感光体ドラム１８上に残存する未転写トナーを除去するクリーニング部、等が一体的に設けられている。
【００３２】
一方、転写部７に搬送される記録媒体Ｐは、次のように動作する。
まず、画像形成装置本体１の複数の給紙トレイ３０のうち、１つの給紙トレイが自動又は手動で選択される（例えば、最上段の給紙トレイ３０が選択されたものとする。）。
【００３３】
そして、給紙トレイ３０に収納された記録媒体Ｐの最上方の１枚が、搬送経路Ｋの位置に向けて搬送される。その後、記録媒体Ｐは、搬送経路Ｋを通過してレジストローラ１３の位置に達する。そして、レジストローラ１３の位置に達した記録媒体Ｐは、感光体ドラム１８上に形成されたトナー像と位置合わせをするためにタイミングを合わせて、転写部７に向けて搬送される。
【００３４】
そして、転写工程後の記録媒体Ｐは、転写部７の位置を通過した後に、搬送経路を経て定着装置１９に達する。定着装置１９に達した記録媒体Ｐは、定着ローラと加圧ローラとの間に送入されて、定着ローラから受ける熱と加圧ローラから受ける圧力とによってトナー像が定着される。トナー像が定着された記録媒体Ｐは、定着ローラと加圧ローラとの間から送出された後に、出力画像として画像形成装置本体１から排出されて、排紙トレイ１０上に載置される。
こうして、一連の画像形成プロセスが完了する。
【００３５】
次に、図２〜図６を用いて、本実施の形態１で特徴的な、取っ手の構成・動作について説明する。
図２は、画像形成装置を示す斜視図である。図３は、取っ手４０が装着された給紙トレイ３０（収容容器）を示す斜視図である。図４は、給紙トレイ３０に取っ手４０が装着される状態を示す斜視図である。図５は、取っ手３０を裏側（給紙トレイ３０側である。）からみた斜視図である。図６は、取っ手４０が装着された給紙トレイ３０を示す上面図である。
【００３６】
図２に示すように、取っ手４０は、記録媒体Ｐを収容する収容容器としての給紙トレイ３０に装着されている。そして、ユーザは、取っ手４０を?んで、給紙トレイ３０を画像形成装置本体１から引き出したり（図２中の矢印方向の移動である。）、給紙トレイ３０を画像形成装置本体１に向けて押し込んだりして（図２中の矢印方向とは反対側への移動である。）、給紙トレイ３０内への記録媒体Ｐの補充作業等をおこなう。なお、取っ手４０は、コストや環境性を重視して、ＰＣ−ＡＢＳ材（ポリカーボネイト−アクリルニトリル・ブタジエン・スチレン材）で形成されている。
【００３７】
図３及び図４を参照して、取っ手４０は、取っ手主部４１と装着部４４とで構成されている。
取っ手主部４１は、給紙トレイ３０に装着された状態で給紙トレイ３０（カバー３１）の前面から突出するとともに、貫通穴４１ａを介して把持可能に形成された把持部４３ａを具備している。装着部４４は、給紙トレイ３０の被装着部としての把手部３１ａに嵌合するようにして装着される。
【００３８】
ここで、収容容器としての給紙トレイ３０は、主として、記録媒体Ｐが収容される容器本体３２と、容器本体３２の前面側を覆うカバー３１（外装カバー）と、で構成される。カバー３１には、把手部３１ａが標準装備として設けられている。この把手部３１ａは、健康体のユーザーを想定したものであるとともに、デザイン性を重視したものになっている。すなわち、健康体のユーザーは、把持部３１ａに手を差し込んで給紙トレイ３０の引き出しをおこなうことになる。また、把持部３１ａはカバー３１の前面から突出していないために、デザイン性に優れるとともに、給紙トレイ３０の床面投影面積も小さくすることができる。
【００３９】
これに対して、本実施の形態１における取っ手４０は、オプション装備として、事後的に給紙トレイ３０に設置されるものである。すなわち、手が不自由なユーザー等であって、標準装備として設置された給紙トレイ３０の把手部３１ａに対して操作性が悪いと感じているユーザーに対して、本実施の形態１における取っ手４０が提供される。
【００４０】
具体的には、給紙トレイ３０の把手部３１ａに対して、取っ手４０が下方から挿入されて（図４の矢印方向の移動である。）、把手部３１ａに装着部４４が嵌合される。このとき、装着部４４の係止爪４４ａが給紙トレイ３０の段差部３２ａに載せられて、取っ手４０の位置決めがされる（図５及び図６を参照できる。）。そして、その状態で、給紙トレイ３０の内側からネジ５０で取っ手４０（ボス部４４ｂ）が締結される（図４及び図５を参照できる。）。このように、本実施の形態１における取っ手４０は、給紙トレイ３０への装着を容易化する装着部４４が取っ手主部４１とは別に設けられているために、取っ手主部４１の形状の自由度を高めることができる。すなわち、ユーザーのニーズに合わせて、取っ手主部４１の形状を任意に設計したもの（例えば、大型化したものである。）を、給紙トレイ３０に自由に設置することが可能になる。したがって、取っ手４０は、給紙トレイ３０に対して着脱自在（交換自在）に設置できるように構成することが好ましい。
【００４１】
ここで、本実施の形態１における取っ手４０の取っ手主部４１は、給紙トレイ３０（カバー３１）の前面に立設するとともに貫通穴４１ａが形成された板部４２と、板部４２の縁部を縁取るように肉厚に形成されるとともに把持部４３ａが形成された肉厚部４３と、で構成される。
図３を参照して、取っ手主部４１の肉厚部４３は、把持部４３ａの肉厚Ｄ１が把持部４３ａ以外の肉厚Ｄ２よりも薄くなるように形成されている（Ｄ１＜Ｄ２である。）。また、取っ手主部４１の貫通穴４１ａは、人の手が入るように充分大きく形成されている。さらに、貫通穴４１ａの幅は、装着部４４の幅とほぼ同じ大きさになっている。
これらの構成により、手が不自由なユーザーにとっても把持部４３ａを把持しやすくなる。例えば、貫通穴４１ａを介して肉厚部４３の把持部４３ａに義手等をフッキングさせることもできる。また、把持部４３ａを把持したときに装着部４４に作用する力も均等になって取っ手４０の強度が保たれるとともに給紙トレイ３０に対する引き出し性（操作性）が向上することになる。また、貫通穴４１ａを介して肉厚部４３の把持部４３ａに義手等をフッキングさせようとした際に多少狙いがずれてしまったとしても把持部４３ａ以外の肉厚部４３に貫通穴４１ａを介さないで義手等が引っ掛かり、結果としてフッキングされた状態が得られ、この点でも引き出し性を向上することができる。さらに、貫通穴４１ａがあることにより、把持部４３ａを上方からでも、下方からでも把持することができ、操作性を向上することができる。例えば、車椅子等によって、ユーザーの座高が低くなった場合でも、上方からも操作可能であるが、下方からも操作が可能になる。
【００４２】
また、本実施の形態１において、取っ手主部４１の肉厚部４３は、把持部４３ａが形成された中央部からカバー３１の前面に接する両端部にかけて湾曲状に形成されている。すなわち、取っ手主部４１は、両端部から中央部にかけてなだらかに突出するように形成されている。このような構成により、取っ手主部４１を大きく形成しても、ユーザーが取っ手主部４１に引っ掛って負傷する不具合を抑止することができる。
【００４３】
図５を参照して、本実施の形態１において、取っ手４０の装着部４４は、その裏側（給紙トレイ３０側である。）に格子状のリブ部４４ｃが形成されている。さらに、図示は省略するが、取っ手主部４１の下方にも格子状のリブ部が形成されている。このような構成により、リブ部４４ｃが補給部材として機能して、取っ手４０全体の機械的強度が高まることになる。さらには、格子状のリブ部４４を設けることで、空隙ができるために材料費を削減できる。
【００４４】
図５を参照して、取っ手４０の装着部４４には、給紙トレイ３０に係止して位置決めするための係止爪４４ａが形成されている。さらに、装着部４４には、給紙トレイ３０に締結するためのボス部４４ｂが、給紙トレイ３０の被装着部に向けて起立するように形成されている。
図６を参照して、取っ手４０の係止爪４４ａは、給紙トレイ３０の容器本体３２とカバー３１とによって形成される段差部３２ａに係止される。このように取っ手４０の装着部４４に位置決め用の係止爪４４ａを設けることで、給紙トレイ３０への取っ手４０の取付性が向上する。なお、係止爪４４ａは、本実施の形態１のように段差部３２ａに一時的に係合させるような構成のものの他に、給紙トレイ３０に永続的に固設するように構成することもできる。
【００４５】
また、図６を参照して、係止爪４４ａによって位置決めされた取っ手４０は、取っ手４０のボス部４４ｂへのネジ５０の締結によって、給紙トレイ３０と一体化される。
ここで、給紙トレイ３０の段差部３２ａは、上方からみてボス部４４ｂが隠れないように形成されている。このような構成により、取っ手４０を取り付ける作業者にとっての視認性が高まって、ボス部４４ｂへのネジ締結の作業性が向上する。また、本実施の形態１の構成によれば、ネジ５０が給紙トレイ３０及び取っ手４０の外部に露呈しないために、ユーザーがネジ５０に引っ掛かったり、給紙トレイ３０及び取っ手４０の外観上の見栄えが悪くなったりする不具合が抑止される。また、装着部４４に係止爪４４ａ及びボス部４４ｂを設けることで、給紙トレイ３０への取っ手４０の設置を強固かつ確実なものにすることができる。
【００４６】
以上説明したように、本実施の形態１では、取っ手４０に、貫通穴４１ａを介して把持可能に形成された把持部４３ａが設けられるとともに、給紙トレイ３０の把手部３１ａに装着するための装着部４４が設けられているために、ユーザーにとって使い勝手のよい取っ手４０を選択的に給紙トレイ３０に設置することができる。したがって、種々のユーザーにとって、記録媒体Ｐが収容された給紙トレイ３０を装置本体１から簡易に引き出すことができる、操作性の高い、取っ手４０、収容容器３０、及び、画像形成装置を提供することができる。
【００４７】
なお、本実施の形態１では、給紙トレイ３０の下方から装着部４４が装着される構成としたが、給紙トレイ３０の上方から装着部４４が装着される構成とすることもできる。その場合にも、本実施の形態１と同様の効果を得ることができる。
【００４８】
実施の形態２．
図７〜図９にて、この発明の実施の形態２について詳細に説明する。
図７は、実施の形態２における取っ手を示す斜視図であって、前記実施の形態１における図５に対応する図である。図８は、図７の取っ手が装着された給紙トレイを示す上面図であって、前記実施の形態１における図６に対応する図である。図９は、取っ手のスナップフィットが給紙トレイに係止した状態を示す断面図である。本実施の形態２における取っ手４０は、係止爪４４ａ及びボス部４４ｂの代わりに装着部４４にスナップフィット４４ｄが設置されている点が、前記実施の形態１のものとは相違する。
【００４９】
図７に示すように、本実施の形態２における取っ手４０は、装着部４４の裏側にスナップフィット４４ｄが形成されている。
本実施の形態２における取っ手４０は、以下のように装着される。
まず、給紙トレイ３０の把手部３１ａに対して、取っ手４０が下方から挿入されて、把手部３１ａに装着部４４が嵌合される。このとき、装着部４４のスナップフィット４４ｄが給紙トレイ３０の段差部３２ａに形成された穴部３２ａ１に係合して、取っ手４０の位置決めと締結（結合）とがされる（図８及び図９を参照できる。）。
【００５０】
以上述べたように、本実施の形態２における取っ手４０は、係止爪４４ａ及びボス部４４ｂの代わりにスナップフィット４４ｄが設置されているために、給紙トレイ３０へワンタッチで装着又は取出をおこなうことができる。
なお、給紙トレイ３０に装着した取っ手４０がユーザーの引き出し作業によって給紙トレイ３０から簡単に外れないように、スナップフィット４４ｄは把持部４３ａから離れた位置に配設されている。
【００５１】
以上説明したように、本実施の形態２では、取っ手４０に、貫通穴４１ａを介して把持可能に形成された把持部４３ａが設けられるとともに、給紙トレイ３０の把手部３１ａに装着するための装着部４４が設けられているために、ユーザーにとって使い勝手のよい取っ手４０を選択的に給紙トレイ３０に設置することができる。したがって、種々のユーザーにとって、記録媒体Ｐが収容された給紙トレイ３０を装置本体１から簡易に引き出すことができる、操作性の高い、取っ手４０、収容容器３０、及び、画像形成装置を提供することができる。
【００５２】
実施の形態３．
図１０及び図１１にて、この発明の実施の形態３について詳細に説明する。
図１０は、実施の形態３における取っ手が装着された給紙トレイを示す断面図である。また、図１１は、給紙トレイに取っ手を装着する状態を示す分解断面図である。本実施の形態３における取っ手４０は、給紙トレイ３０への装着方法が前記実施の形態１のものとは相違する。
【００５３】
図１０及び図１１を参照して、本実施の形態３では、取っ手４０の装着部４４が、カバー３１の下方から装着されて、カバー３１に形成されたボス３１ｂ（ボス形状の被装着部である。）にネジ５０によって締結される。詳しくは、図１１に示すように、カバー３１の下方に形成された凹部に装着部４４が係合するとともに、カバー３１のボス３１ｂに装着部４４の凹部が係合するように、カバー３１の下方から取っ手４０が装着され、その後にネジ５０のボス３１ｂへの締結によって取っ手４０がカバー３１に固設される（図１０の状態である。）。
このような構成により、既存の給紙トレイ３０（カバー３１）に対して取っ手４０を取り付けたい場合に、カバー３１の金型を一部改造してボス３１ｂを追加するだけで、本実施の形態３における給紙トレイ３０及び取っ手４０の構成を事後的に具現化することができる。
【００５４】
また、本実施の形態３の構成によれば、ネジ５０が給紙トレイ３０及び取っ手４０の外部に露呈しないために、ユーザーがネジ５０に引っ掛かったり、給紙トレイ３０及び取っ手４０の外観上の見栄えが悪くなったりする不具合が抑止される。また、ボス３１ｂによって装着部４４の位置を定めた後にネジ締結することで、給紙トレイ３０への取っ手４０の設置を強固かつ確実なものにすることができる。
【００５５】
以上説明したように、本実施の形態３では、取っ手４０に、貫通穴４１ａを介して把持可能に形成された把持部４３ａが設けられるとともに、給紙トレイ３０の把手部３１ａに装着するための装着部４４が設けられているために、ユーザーにとって使い勝手のよい取っ手４０を選択的に給紙トレイ３０に設置することができる。したがって、種々のユーザーにとって、記録媒体Ｐが収容された給紙トレイ３０を装置本体１から簡易に引き出すことができる、操作性の高い、取っ手４０、収容容器３０、及び、画像形成装置を提供することができる。
【００５６】
実施の形態４．
図１２及び図１３にて、この発明の実施の形態４について詳細に説明する。
図１２は、実施の形態４における取っ手が装着された給紙トレイを示す斜視図である。図１３は、図１２の取っ手が収納された状態を示す斜視図である。本実施の形態４における取っ手４０は、ベルト状に形成されている点が、前記実施の形態１のものとは相違する。
【００５７】
図１２に示すように、本実施の形態４では、ベルト状の取っ手４０が、給紙トレイ３０の把手部３１ａに装着される。詳しくは、取っ手４０の取っ手主部４１の両端に設けたれた半円形状の係合部４１ｂ（装着部）が、給紙トレイ３０の把手部３１ａの両端に設けられた被係合部３１ｃに係合するように装着される。
このように構成された取っ手４０は、給紙トレイ４０を装置本体１から引き出すときに、湾曲してカバー３１との間に隙間（貫通穴）が形成されて、取っ手主部４１自体が把持部として機能する（図１２の状態である。）。
これに対して、取っ手４０を使用しないときには、図１３に示すように、取っ手主部４１をカバー３１側に近接させることで、カバー３１の前面からの突出物をなくすことができる。
【００５８】
以上説明したように、本実施の形態４では、取っ手４０に、貫通穴４１ａを介して把持可能に形成された把持部４１（取っ手主部）が設けられるとともに、給紙トレイ３０の把手部３１ａに装着するための装着部４１ｂ（係合部）が設けられているために、ユーザーにとって使い勝手のよい取っ手４０を選択的に給紙トレイ３０に設置することができる。したがって、種々のユーザーにとって、記録媒体Ｐが収容された給紙トレイ３０を装置本体１から簡易に引き出すことができる、操作性の高い、取っ手４０、収容容器３０、及び、画像形成装置を提供することができる。
【００５９】
なお、前記各実施の形態では、画像形成装置において記録媒体Ｐを収容する給紙トレイ３０（収容容器）に装着される取っ手４０に対して本発明を適用したが、本発明の適用はこれに限定されることなく、収容物を収容する収容容器のすべてについて本発明を適用することができる。その場合も、前記各実施の形態と同様の効果を得ることができる。
【００６０】
なお、本発明が前記各実施の形態に限定されず、本発明の技術思想の範囲内において、前記各実施の形態の中で示唆した以外にも、前記各実施の形態は適宜変更され得ることは明らかである。また、前記構成部材の数、位置、形状等は前記各実施の形態に限定されず、本発明を実施する上で好適な数、位置、形状等にすることができる。
【図面の簡単な説明】
【００６１】
【図１】この発明の実施の形態１における画像形成装置を示す断面図である。
【図２】画像形成装置を示す斜視図である。
【図３】取っ手が装着された収容容器を示す斜視図である。
【図４】収容容器に取っ手が装着される状態を示す斜視図である。
【図５】取っ手を示す斜視図である。
【図６】取っ手が装着された収容容器を示す上面図である。
【図７】この発明の実施の形態２における取っ手を示す斜視図である。
【図８】図７の取っ手が装着された収容容器を示す上面図である。
【図９】取っ手のスナップフィットが収容容器に係止した状態を示す断面図である。
【図１０】この発明の実施の形態３における取っ手が装着された収容容器を示す断面図である。
【図１１】図１０の収容容器に取っ手を装着する状態を示す分解断面図である。
【図１２】この発明の実施の形態４における取っ手が装着された収容容器を示す斜視図である。
【図１３】図１２の取っ手が収納された状態を示す斜視図である。
【符号の説明】
【００６２】
１  画像形成装置本体（装置本体）、
３０  給紙トレイ（収容容器）、
３１  カバー、  ３１ａ  把手部（被装着部）、  ３１ｂ  ボス（被装着部）、
３２  容器本体、  ３２ａ  段差部、  ３２ａ１  穴部、
４０  取っ手、
４１  取っ手主部、  ４１ａ  貫通穴、  ４１ｂ  係合部、
４２  板部、  ４３  肉厚部、  ４３ａ  把持部、
４４  装着部、  ４４ａ  係止爪、  ４４ｂ  ボス部、
４４ｃ  リブ部、  ４４ｄ  スナップフィット、
５０  ネジ、  Ｐ  記録媒体（収容物）。
【図１】
0004789204.tif 000002
【図２】
0004789204.tif 000003
【図３】
0004789204.tif 000004
【図４】
0004789204.tif 000005
【図５】
0004789204.tif 000006
【図６】
0004789204.tif 000007
【図７】
0004789204.tif 000008
【図８】
0004789204.tif 000009
【図９】
0004789204.tif 000010
【図１０】
0004789204.tif 000011
【図１１】
0004789204.tif 000012
【図１２】
0004789204.tif 000013
【図１３】
0004789204.tif 000014